(57)【特許請求の範囲】
【請求項１】
ピストンが往復運動するガス圧縮室を備える圧縮機本体と、前記圧縮機本体の容量を調整する複数のアンローダー及びクリアランス弁と、前記複数のアンローダー及びクリアランス弁を駆動させる容量調整用空気回路と、を有するレシプロ圧縮機であって、
前記容量調整用空気回路は、
前記圧縮機本体の設定容量に対応して設けられたスイッチと、
前記スイッチの操作により、前記複数のアンローダー及びクリアランス弁の駆動と非駆動の組み合わせパターンを、前記設定容量に対応する組み合わせパターンに切り替える空気供給経路切替回路と、を有し、
前記空気供給経路切替回路は、
前記複数のアンローダー及びクリアランス弁に接続された駆動用空気回路と、
前記駆動用空気回路に設けられた複数のエア駆動弁と、
前記複数のエア駆動弁を操作する操作用空気回路と、を有し、
前記操作用空気回路は、
前記複数のエア駆動弁のパイロットポートに接続された複数のエアラインと、
前記スイッチの操作に応じて、前記複数のエアラインに選択的に空気を供給する複数のシャトル弁と、を有する、レシプロ圧縮機。
【請求項２】
前記スイッチは、ロータリースイッチである、請求項１に記載のレシプロ圧縮機。
【請求項３】
前記操作用空気回路は、前記駆動用空気回路から分岐して設けられており、
前記操作用空気回路が分岐する位置よりも上流側の前記駆動用空気回路には、レギュレーターが設けられている、請求項１または２に記載のレシプロ圧縮機。
【請求項４】
前記駆動用空気回路は、金属製の配管から形成され、
前記操作用空気回路は、樹脂製の配管から形成されている、請求項１〜３のいずれか一項に記載のレシプロ圧縮機。
【発明の詳細な説明】
【技術分野】
【０００１】
本発明は、レシプロ圧縮機に関するものである。
【背景技術】
【０００２】
レシプロ圧縮機は、ピストンの往復運動によるシリンダの容積変化でガスを圧縮する構成となっている（例えば、下記特許文献１参照）。このレシプロ圧縮機にあっては、負荷に応じた容量調整を行うために、例えば、シリンダの吸気弁を閉じた状態に保持するアンローダーや、シリンダのガス圧縮室の容量を変化させるクリアランス弁等を備えるものがある。
【０００３】
アンローダーとクリアランス弁は、レシプロ圧縮機の容量調整用空気回路と接続されている。容量調整用空気回路には、アンローダーに駆動用空気を供給する３方弁と、クリアランス弁に駆動用空気を供給する４方弁が設けられている。レシプロ圧縮機の容量調整は、容量調整用空気回路の３方弁や４方弁を操作することで、アンローダーとクリアランス弁の開閉を組み合せて行う。
【先行技術文献】
【特許文献】
【０００４】
【特許文献１】特開２０１０−７７８４１号公報
【発明の概要】
【発明が解決しようとする課題】
【０００５】
レシプロ圧縮機の容量調整は、頻繁に行うものではないため、従来の容量調整用空気回路は、手動３方弁や手動４方弁にて構成されていた。しかしながら、この構成では、オペレーターが、手動弁の開閉の組み合わせ表（マニュアル）を確認しながら、所定の順序通りに操作する必要があり、操作が非常に煩雑であった。また、レシプロ圧縮機が、多段圧縮機であると、アンローダーやクリアランス弁の数が増える場合があり、それに応じて操作手順が増え、操作がより煩雑となる、という問題があった。
【０００６】
本発明は、上記問題点に鑑みてなされたものであり、容量調整の操作が容易なレシプロ圧縮機の提供を目的とする。
【課題を解決するための手段】
【０００７】
上記の課題を解決するために、本発明は、ピストンが往復運動するガス圧縮室を備える圧縮機本体と、前記圧縮機本体の容量を調整する複数のアンローダー及びクリアランス弁と、前記複数のアンローダー及びクリアランス弁を駆動させる容量調整用空気回路と、を有するレシプロ圧縮機であって、前記容量調整用空気回路は、前記圧縮機本体の設定容量に対応して設けられたスイッチと、前記スイッチの操作により、前記複数のアンローダー及びクリアランス弁の駆動と非駆動の組み合わせパターンを、前記設定容量に対応する組み合わせパターンに切り替える空気供給経路切替回路と、を有する、という構成を採用する。
【０００８】
また、本発明においては、前記スイッチは、ロータリースイッチである、という構成を採用する。
【０００９】
また、本発明においては、前記空気供給経路切替回路は、前記複数のアンローダー及びクリアランス弁に接続された駆動用空気回路と、前記駆動用空気回路に設けられたエア駆動弁と、前記エア駆動弁を操作する操作用空気回路と、を有する、という構成を採用する。
【００１０】
また、本発明においては、前記操作用空気回路は、前記駆動用空気回路から分岐して設けられており、前記操作用空気回路が分岐する位置よりも下流側の前記駆動用空気回路には、レギュレーターが設けられている、という構成を採用する。
【００１１】
また、本発明においては、前記駆動用空気回路は、金属製の配管から形成され、前記操作用空気回路は、樹脂製の配管から形成されている、という構成を採用する。
【発明の効果】
【００１２】
本発明によれば、容量調整用空気回路に圧縮機本体の設定容量に対応したスイッチを設け、そのスイッチの操作により空気供給経路切替回路を動かし、複数のアンローダー及びクリアランス弁の駆動と非駆動の組み合わせパターンを、その設定容量に対応する組み合わせパターンに切り換える。このため、本発明では、従来のように複数の手動弁を操作する必要がなく、一つの操作で、圧縮機本体の容量を調整することができる。
したがって、本発明では、容量調整の操作が容易なレシプロ圧縮機が得られる。
【図面の簡単な説明】
【００１３】
【図１】本発明の第１実施形態におけるレシプロ圧縮機の構成図である。
【図２】本発明の第１実施形態における圧縮機本体の設定容量と、その設定容量に対応するアンローダー及びクリアランス弁の駆動と非駆動の組み合わせパターンを示す図である。
【図３】本発明の第１実施形態における容量調整用空気回路の回路図である。
【図４】本発明の第２実施形態における容量調整用空気回路の回路図である。
【図５】本発明の第２実施形態におけるスイッチの構成を示す図である。
【発明を実施するための形態】
【００１４】
以下、本発明の実施形態について図面を参照して説明する。
【００１５】
（第１実施形態）
図１は、本発明の第１実施形態におけるレシプロ圧縮機１の構成図である。
レシプロ圧縮機１は、ガスを圧縮する圧縮機本体２と、圧縮機本体２の容量調整を行う容量調整用空気回路３と、を有する。圧縮機本体２には、容量を調整するためアンローダー１７及びクリアランス弁１８が複数設けられており、容量調整用空気回路３は、複数のアンローダー１７及びクリアランス弁１８を駆動させることで、圧縮機本体２の容量調整を行う構成となっている。
【００１６】
圧縮機本体２には、シリンダ１０が設けられている。シリンダ１０は、圧縮機本体２の左右に設けられており、その一方のシリンダ１０の内部に第１ガス圧縮室１０ａが形成され、その他方のシリンダ１０の内部に第２ガス圧縮室１０ｂが形成されている。シリンダ１０の内部には、摺動自在に設けられ、容積を変化させるピストン１１が設けられている。このように、本実施形態のレシプロ圧縮機１は、多段圧縮機であり、２段のガス圧縮室（第１ガス圧縮室１０ａ、第２ガス圧縮室１０ｂ）を備えている。
【００１７】
ピストン１１には、ピストンロッド１２が連結されている。ピストンロッド１２は、ピストンロッドパッキング１３を介してクランクエンド側（圧縮機本体２の長手方向中央に向かう側）に延出している。ピストンロッド１２のクランクエンド側に延出した端部は、クロスヘッド１４を介してコネクティングロッド１５に連結されている。コネクティングロッド１５は、クランクシャフト１６に連結されている。クランクシャフト１６は、内燃機関やモータ等の駆動源に連結されている。
【００１８】
上記構成のレシプロ圧縮機１は、駆動源によりクランクシャフト１６を回転させ、コネクティングロッド１５、ピストンロッド１２を介してピストン１１を往復運動させ、ピストン１１によって仕切られたシリンダ１０内部のヘッドエンド側（圧縮機本体２の長手方向両端に向かう側）とクランクエンド側との容積を変化させ、不図示のガス吸気口から吸気したガスを、第１ガス圧縮室１０ａ、第２ガス圧縮室１０ｂにおいて順次圧縮し、圧縮したガスを不図示のガス吐出口より吐出するようになっている。
【００１９】
アンローダー１７は、シリンダ１０の不図示の吸気弁を閉じた状態に保持するものであり、第１ガス圧縮室１０ａのヘッドエンド側（アンローダー１７ａ１）とクランクエンド側（アンローダー１７ａ２）と、第２ガス圧縮室１０ｂのヘッドエンド側（アンローダー１７ｂ１）とクランクエンド側（アンローダー１７ｂ２）と、に設けられている。アンローダー１７が駆動すると、吸気弁が閉じてそのガス圧縮室にガスが供給されなくなり、ガスが圧縮されない無負荷状態とさせることができる。
【００２０】
クリアランス弁１８は、シリンダ１０の各ガス圧縮室の容量を調整するものであり、第１ガス圧縮室１０ａのヘッドエンド側（クリアランス弁１８ａ）と、第２ガス圧縮室１０ｂのヘッドエンド側（クリアランス弁１８ｂ）と、に接続されている。クリアランス弁１８が駆動すると、クリアランス弁１８が接続されたガス圧縮室の容量が増加し、そのガス圧縮室でのガス圧縮容量を低下させることができる。
【００２１】
図２は、本発明の第１実施形態における圧縮機本体２の設定容量と、その設定容量に対応するアンローダー１７及びクリアランス弁１８の駆動と非駆動の組み合わせパターンを示す図である。なお、図２において、「ＨＥ」とは、ヘッドエンド側に設けられたアンローダー１７を表し、「ＣＥ」とは、クランクエンド側に設けられたアンローダー１７を表し、「ＣＶ」とは、クリアランス弁１８を表す。例えば、「１ＳＴ  ＳＴＡＧＥ  ＨＥ」とは、第１ガス圧縮室１０ａのヘッドエンド側に設けられたアンローダー１７ａ１を表す。
【００２２】
図２に示すように、本実施形態では、複数のアンローダー１７及びクリアランス弁１８の駆動と非駆動とを組み合わせた３つのパターンで、圧縮機本体２の容量を、１００％、７５％、５０％、２５％に設定可能な構成となっている。
圧縮機本体２の設定容量を１００％に設定する場合、第１ガス圧縮室１０ａでは、アンローダー１７ａ１，１７ａ２を駆動（ＬＯＡＤ）させ、また、クリアランス弁１８ａを非駆動（ＣＬＯＳＥ）とさせる。また、第２ガス圧縮室１０ｂでは、アンローダー１７ｂ１，１７ｂ２を駆動（ＬＯＡＤ）させ、また、クリアランス弁１８ｂを非駆動（ＣＬＯＳＥ）とさせる。
【００２３】
また、圧縮機本体２の設定容量を７５％に設定する場合、第１ガス圧縮室１０ａでは、アンローダー１７ａ１，１７ａ２を駆動（ＬＯＡＤ）させ、また、クリアランス弁１８ａを駆動（ＯＰＥＮ）させる。また、第２ガス圧縮室１０ｂでは、アンローダー１７ｂ１，１７ｂ２を駆動（ＬＯＡＤ）させ、また、クリアランス弁１８ｂを駆動（ＯＰＥＮ）させる。
【００２４】
また、圧縮機本体２の設定容量を５０％に設定する場合、第１ガス圧縮室１０ａでは、アンローダー１７ａ１を駆動（ＬＯＡＤ）させ、アンローダー１７ａ２を非駆動（ＵＮＬＯＡＤ）とさせ、また、クリアランス弁１８ａを非駆動（ＣＬＯＳＥ）とさせる。また、第２ガス圧縮室１０ｂでは、アンローダー１７ｂ１を駆動（ＬＯＡＤ）させ、アンローダー１７ｂ２を非駆動（ＵＮＬＯＡＤ）とさせ、また、クリアランス弁１８ｂを非駆動（ＣＬＯＳＥ）とさせる。
【００２５】
また、圧縮機本体２の設定容量を２５％に設定する場合、第１ガス圧縮室１０ａでは、アンローダー１７ａ１を駆動（ＬＯＡＤ）させ、アンローダー１７ａ２を非駆動（ＵＮＬＯＡＤ）とさせ、また、クリアランス弁１８ａを駆動（ＯＰＥＮ）させる。また、第２ガス圧縮室１０ｂでは、アンローダー１７ｂ１を駆動（ＬＯＡＤ）させ、アンローダー１７ｂ２を非駆動（ＵＮＬＯＡＤ）とさせ、また、クリアランス弁１８ｂを駆動（ＯＰＥＮ）させる。
【００２６】
図３は、本発明の第１実施形態における容量調整用空気回路３の回路図である。
容量調整用空気回路３は、複数のアンローダー１７及びクリアランス弁１８を駆動させる空気回路である。容量調整用空気回路３は、圧縮機本体２の設定容量に対応して設けられたスイッチ３０と、スイッチ３０の操作により、複数のアンローダー１７及びクリアランス弁１８の駆動と非駆動の組み合わせパターンを、その設定容量に対応する組み合わせパターン（図２参照）に切り換える空気供給経路切替回路３１と、を有する。
【００２７】
スイッチ３０は、圧縮機本体２の設定容量別に設けられた手動弁若しくは電磁弁であり、本実施形態では、１００％容量に対応するスイッチ３０ａと、７５％容量に対応するスイッチ３０ｂと、５０％容量に対応するスイッチ３０ｃと、２５％容量に対応するスイッチ３０ｄと、からなる。
なお、スイッチ３０ａ〜３０ｄの全てをＯＦＦ状態にすると、圧縮機本体２の設定容量を０％にすることができる。圧縮機本体２の設定容量が０％になったときの組み合わせパターンは、図２に示す。
【００２８】
空気供給経路切替回路３１は、図３に示すように、複数のアンローダー１７及びクリアランス弁１８に接続された駆動用空気回路２３と、駆動用空気回路２３に設けられたエア駆動弁２４と、エア駆動弁２４を操作する操作用空気回路２５と、を有する。操作用空気回路２５は、駆動用空気回路２３から分岐して設けられている。駆動用空気回路２３に設けられた分岐部２２は、複数の配管が接続されるパイプヘッダーであり、操作用空気回路２５は、この分岐部２２に接続されている。
【００２９】
分岐部２２よりも上流側の駆動用空気回路２３には、レギュレーター２１が設けられており、駆動用空気回路２３は、レギュレーター２１を介して空気供給源の母管２０と接続されている。本実施形態のレギュレーター２１は、母管２０から供給された空気の除塵・減圧をするフィルタ付減圧弁である。レギュレーター２１は、母管２０から供給された空気を、所定の圧力まで減圧するようになっている。この構成によれば、駆動用空気回路２３と操作用空気回路２５の空気供給源を共通とし同一の圧力で駆動させることができる。
【００３０】
駆動用空気回路２３は、金属製の配管（例えばステンレス管）から形成されている。一方、操作用空気回路２５は、樹脂製の配管（例えばビニールチューブ）から形成されている。操作用空気回路２５は、箱状にパッケージングされており、その箱内には樹脂製の配管が詰め込まれている。操作用空気回路２５のパッケージングには、複数の接続ポート２５ａが設けられている。操作用空気回路２５は、接続ポート２５ａを介して、駆動用空気回路２３の分岐部２２や、エア駆動弁２４と接続されている。
【００３１】
エア駆動弁２４は、アンローダー１７ａ１，１７ｂ１を駆動させるエア駆動弁２４ａと、アンローダー１７ａ２，１７ｂ２を駆動させるエア駆動弁２４ｂと、クリアランス弁１８ａ，１８ｂを駆動させるエア駆動弁２４ｃと、を有する。エア駆動弁２４ａ，２４ｂは、３方弁から構成されている。また、エア駆動弁２４ｃは、４方弁から構成されている。
【００３２】
図１に戻り、駆動用空気回路２３のエアライン２３ａは、エア駆動弁２４ａの下流側で分岐してアンローダー１７ａ１，１７ｂ１と接続されている。このため、アンローダー１７ａ１，１７ｂ１は、エア駆動弁２４ａの切り替えによって、同期して駆動する。また、駆動用空気回路２３のエアライン２３ｂは、アンローダー１７ａ２，１７ｂ２と接続されている。このため、アンローダー１７ａ２，１７ｂ２は、エア駆動弁２４ｂの切り替えによって、同期して駆動する。
【００３３】
さらに、駆動用空気回路２３のエアライン２３ｃは、クリアランス弁１８ａ，１８ｂに接続されている。このため、クリアランス弁１８ａ，１８ｂは、エア駆動弁２４ｃの切り替えによって、同期して駆動する。
【００３４】
操作用空気回路２５は、エア駆動弁２４ａ〜２４ｃのパイロットポートのそれぞれとエアライン２６ａ〜２６ｃを介して接続されている。図３に示すように、操作用空気回路２５には、スイッチ３０ａ〜３０ｄが組み込まれている。なお、スイッチ３０ａ〜３０ｄの操作部（手動のＯＮ−ＯＦＦスイッチ）は、操作用空気回路２５のパッケージングの外側に露出している。操作用空気回路２５には、スイッチ３０の操作に応じて、エアライン２６ａ〜２６ｃに選択的に空気を供給するための複数のチェック弁２５ｂ（シャトル弁）が設けられている。
【００３５】
本実施形態では、設定容量１００％に対応するスイッチ３０ａをＯＮ状態に操作すると、複数のチェック弁２５ｂが動き、エアライン２６ａ〜２６ｃに空気が供給され、エア駆動弁２４ａ〜２４ｃがＯＮ状態になる。エア駆動弁２４ａ〜２４ｃがＯＮ状態になると、アンローダー１７の全てが駆動（ＬＯＡＤ）し、クリアランス弁１８の全てが非駆動（ＣＬＯＳＥ）となり、圧縮機本体２の設定容量が１００％に切り替わる（図２参照）。
【００３６】
また、本実施形態では、設定容量７５％に対応するスイッチ３０ｂをＯＮ状態に操作すると、複数のチェック弁２５ｂが動き、エアライン２６ｃのみ空気が供給されなくなり、エア駆動弁２４ｃがＯＦＦ状態になる。エア駆動弁２４ｃがＯＦＦ状態になると、クリアランス弁１８の全てが駆動（ＯＰＥＮ）し、圧縮機本体２の設定容量が７５％に切り替わる（図２参照）。
【００３７】
また、本実施形態では、設定容量５０％に対応するスイッチ３０ｃをＯＮ状態に操作すると、複数のチェック弁２５ｂが動き、エアライン２６ｂに空気が供給されなくなり、エア駆動弁２４ｂがＯＦＦ状態になる。エア駆動弁２４ｂがＯＦＦ状態になると、アンローダー１７ａ２，１７ｂ２が非駆動（ＵＮＬＯＡＤ）となり、圧縮機本体２の設定容量が５０％に切り替わる（図２参照）。
【００３８】
また、本実施形態では、設定容量２５％に対応するスイッチ３０ｄをＯＮ状態に操作すると、複数のチェック弁２５ｂが動き、エアライン２６ｂ，２６ｃに空気が供給されなくなり、エア駆動弁２４ｂ，２４ｃがＯＦＦ状態になる。エア駆動弁２４ｂがＯＦＦ状態になると、アンローダー１７ａ２，１７ｂ２が非駆動（ＵＮＬＯＡＤ）となり、クリアランス弁１８の全てが駆動（ＯＰＥＮ）し、圧縮機本体２の設定容量が２５％に切り替わる（図２参照）。
【００３９】
このように、本実施形態によれば、容量調整用空気回路３に圧縮機本体２の設定容量に対応したスイッチ３０を設け、そのスイッチ３０の操作により空気供給経路切替回路３１を動かし、複数のアンローダー１７及びクリアランス弁１８の駆動と非駆動の組み合わせパターンを、その設定容量に対応する組み合わせパターンに切り換えることができる。このため、本実施形態では、従来のように複数の手動弁を操作する必要がなく、一つの操作で、圧縮機本体２の容量を調整することができる。
【００４０】
したがって、上述の本実施形態によれば、ピストン１１が往復運動するガス圧縮室を備える圧縮機本体２と、圧縮機本体２の容量を調整する複数のアンローダー１７及びクリアランス弁１８と、複数のアンローダー１７及びクリアランス弁１８を駆動させる容量調整用空気回路３と、を有するレシプロ圧縮機１であって、容量調整用空気回路３は、圧縮機本体２の設定容量に対応して設けられたスイッチ３０と、スイッチ３０の操作により、複数のアンローダー１７及びクリアランス弁１８の駆動と非駆動の組み合わせパターンを、設定容量に対応する組み合わせパターンに切り替える空気供給経路切替回路３１と、を有するという構成を採用することによって、容量調整の操作が容易なレシプロ圧縮機１が得られる。
【００４１】
（第２実施形態）
次に、本発明の第２実施形態について説明する。以下の説明において、上述の実施形態と同一又は同等の構成部分については同一の符号を付し、その説明を簡略若しくは省略する。
【００４２】
図４は、本発明の第２実施形態における容量調整用空気回路３の回路図である。図５は、本発明の第２実施形態におけるスイッチ３０の構成を示す図である。
図４に示すように、第２実施形態では、容量調整用空気回路３が、箱状にパッケージングされている。容量調整用空気回路３のパッケージングには、複数の接続ポート３ａが設けられている。容量調整用空気回路３は、接続ポート３ａを介して、アンローダー１７やクリアランス弁１８、母管２０と接続されている。
【００４３】
第２実施形態の容量調整用空気回路３は、スイッチ３０として、図５に示すロータリースイッチ３０Ａを有する。ロータリースイッチ３０Ａは、操作部３２（つまみ）を有する。操作部３２には、矢印３３が付されており、矢印３３の向きを調整可能な構成となっている。ロータリースイッチ３０Ａは、図４に示すように、空気の供給経路を６つのポートに切り換え可能な構成となっている。この６つのポートのうちの一つに１００％容量のポートが割り振られ、残りのポートの一つに７５％容量のポートが割り振られ、さらに残りのポートの一つに５０％容量のポートが割り振られ、さらに残りのポートの一つに２５％容量のポートが割り振られている。
【００４４】
図５に戻り、操作部３２の周りには、圧縮機本体２の設定容量に対応して「１００％」と記載されたレンジ３４ａと、「７５％」と記載されたレンジ３４ｂと、「５０％」と記載されたレンジ３４ｃと、「２５％」と記載されたレンジ３４ｄとが設定されている。ロータリースイッチ３０Ａでは、操作部３２の矢印３３を設定容量に対応するレンジ（例えば「１００％」のレンジ３４ａ）に合せると、その設定容量に対応するポート（例えば図４に示す「１」のポート）に空気の供給経路が切り替わる。
【００４５】
例えば、「１」のポートに空気の供給経路が切り替わると、複数のチェック弁２５ｂが動き、エアライン２６ａ〜２６ｃに空気が供給され、エア駆動弁２４ａ〜２４ｃがＯＮ状態になる。エア駆動弁２４ａ〜２４ｃがＯＮ状態になると、アンローダー１７の全てが駆動（ＬＯＡＤ）し、クリアランス弁１８の全てが非駆動（ＣＬＯＳＥ）となり、圧縮機本体２の設定容量が１００％に切り替わる（図２参照）。
【００４６】
なお、操作部３２の周りには、図５に示すように、「０％」と記載されたレンジ３４ｅも設定されている。操作部３２の矢印３３を「０％」のレンジ３４ｅに合せると、ポートが５または６に切り替わり、図４に示すように、エアライン２６ａ〜２６ｃのいずれにも空気が供給されなくなる。第２実施形態では、容量調整する際に残圧となる操作用空気回路２５の系内の空気を放出する排気弁２５ｃが設けられている。この排気弁２５ｃは、サイレンサー付シャトル弁である。
【００４７】
上記構成の第２実施形態によれば、スイッチ３０がロータリースイッチ３０Ａであるため、圧縮機本体２の設定容量が物理的に１つに決まり、人的な操作ミスを除外することができる。すなわち、第２実施形態では、第１実施形態のように複数のスイッチ３０がＯＮ状態になるような事態が生じることはないため、圧縮機本体２の容量調整を間違いなく正確に行うことができる。
【００４８】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４９】
例えば、上記実施形態では、レシプロ圧縮機１が２段圧縮機の場合を例示したが、本発明は、３段以上の圧縮機であっても、２段以下の圧縮機であってもよい。
また、圧縮機本体２の設定容量も、「１００％」、「７５％」、「５０％」、「２５％」の４つに限定されるものではなく、本発明は、設定容量をさらに細分化若しくは省略して設定可能とする構成であってもよい。
【符号の説明】
【００５０】
１  レシプロ圧縮機
２  圧縮機本体
３  容量調整用空気回路
１０ａ  第１ガス圧縮室（ガス圧縮室）
１０ｂ  第２ガス圧縮室（ガス圧縮室）
１０ｃ  第３ガス圧縮室（ガス圧縮室）
１１  ピストン
１７  アンローダー
１８  クリアランス弁
２１  レギュレーター
２３  駆動用空気回路
２４  エア駆動弁
２５  操作用空気回路
３０  スイッチ
３１  空気供給経路切替回路
【図１】
0006458413.tif 000002
【図２】
0006458413.tif 000003
【図３】
0006458413.tif 000004
【図４】
0006458413.tif 000005
【図５】
0006458413.tif 000006